(57)【特許請求の範囲】
【請求項１】
少なくとも地図画像を表示する表示部と、
前記地図画像上で、ユーザがメッセージ情報を投稿する座標位置を設定する設定手段と、
前記メッセージ情報を生成して前記メッセージ情報、および、前記座標位置を含む投稿情報をサーバ装置に送信する情報生成手段と、
前記サーバ装置から前記投稿情報を取得する取得手段と、
取得された前記投稿情報に基づいて前記メッセージ情報に関する指標を表示する表示制御手段と、
前記座標位置を略中心として所定の広さを有する基準報知範囲を設定する範囲設定手段と、
前記投稿情報を取得した他のユーザの座標位置が、前記基準報知範囲に含まれた場合に、前記他のユーザに対して前記メッセージ情報が存在する旨の報知を行う報知手段と、
を備え、
前記範囲設定手段は、前記メッセージ情報の種類が交通に関する情報の場合は、前記基準報知範囲よりも狭い第１報知範囲を設定し、前記メッセージ情報の種類が天候に関する情報のときは、前記基準報知範囲、および、前記第１報知範囲よりも広い第２報知範囲を設定し、
前記報知手段は、前記投稿情報を取得した他のユーザの座標位置が前記第１報知範囲、および、前記第２報知範囲のうちいずれかの報知範囲に含まれた場合に、前記他のユーザに対して、前記メッセージ情報が存在する旨の報知を行うこと、
を特徴とする表示装置。
【請求項２】
少なくとも地図画像を表示する表示部と、
前記地図画像上で、ユーザがメッセージ情報を投稿する座標位置を設定して生成した前記メッセージ情報、および、前記座標位置を含む投稿情報を記憶するサーバ装置から前記投稿情報を取得する取得手段と、
取得された前記投稿情報に基づいて前記メッセージ情報に関する指標を表示する表示制御手段と、
前記座標位置を略中心として所定の広さを有する基準報知範囲を設定する範囲設定手段と、
前記投稿情報を取得した他のユーザの座標位置が前記基準報知範囲に含まれた場合に、前記他のユーザに対して前記メッセージ情報が存在する旨の報知を行う報知手段と、
を備え、
前記範囲設定手段は、前記メッセージ情報の種類が交通に関する情報の場合は、前記基準報知範囲よりも狭い第１報知範囲を設定し、前記メッセージ情報の種類が天候に関する情報のときは、前記基準報知範囲、および、前記第１報知範囲よりも広い第２報知範囲を設定し、
前記報知手段は、前記投稿情報を取得した他のユーザの座標位置が前記第１報知範囲、および、前記第２報知範囲のいずれかの報知範囲に含まれた場合に、前記他のユーザに対して前記メッセージ情報が存在する旨の報知を行うこと、
を特徴とする表示装置。
【請求項３】
請求項１または２のいずれかに記載の表示装置において、
前記範囲設定手段は、前記メッセージ情報の種類が観光に関する情報の場合は、前記第１報知範囲および前記第２報知範囲とは広さが異なる第３報知範囲を設定し、
前記報知手段は、前記投稿情報を取得した他のユーザの座標位置が前記第３報知範囲に含まれた場合に、前記他のユーザに対して前記メッセージ情報が存在する旨の報知を行うこと、
を特徴とする表示装置。  
【請求項４】
請求項１ないし３のいずれかに記載の表示装置において、
前記指標は、前記ユーザが前記メッセージ情報を投稿した地点の位置を指し示すこと、
を特徴とする表示装置。
【請求項５】
複数種のコンテンツをデコード可能な電子装置に含まれるコンピュータによって実行可能なプログラムであって、
前記プログラムの前記コンピュータによる実行は、前記コンピュータに、
（ａ）少なくとも地図画像を表示部に表示する工程と、
（ｂ）前記地図画像上で、ユーザがメッセージ情報を投稿する座標位置を設定する工程と、
（ｃ）前記メッセージ情報を生成して前記メッセージ情報、および、前記座標位置を含む投稿情報をサーバ装置に送信する工程と、
（ｄ）前記サーバ装置から前記投稿情報を取得する工程と、
（ｅ）取得された前記投稿情報に基づいて前記メッセージ情報に関する指標を表示する工程と、
（ｆ）前記座標位置を略中心として所定の広さを有する基準報知範囲を設定する工程と、
（ｇ）前記投稿情報を取得した他のユーザの座標位置が、前記基本報知範囲に含まれた場合に、前記他のユーザに対して前記メッセージ情報が存在する旨の報知を行う工程とを実行させ、
前記工程（ｆ）は、前記メッセージ情報の種類が交通に関する情報の場合は、前記基準報知範囲よりも狭い第１報知範囲を設定し、前記メッセージ情報の種類が天候に関する情報のときは、前記基準報知範囲、および、前記第１報知範囲よりも広い第２報知範囲を設定し、
前記工程（ｇ）は、前記投稿情報を取得した他のユーザの座標位置が前記第１報知範囲、および、前記第２報知範囲のいずれかの報知範囲に含まれた場合に、前記他のユーザに対して前記メッセージ情報が存在する旨の報知を実行すること、
を特徴とするプログラム。
【請求項６】
（ａ）少なくとも地図画像を表示部に表示する工程と、
（ｂ）前記地図画像上で、ユーザがメッセージ情報を投稿する座標位置を設定する工程と、
（ｃ）前記メッセージ情報を生成して前記メッセージ情報、および、前記座標位置を含む投稿情報をサーバ装置に送信する工程と、
（ｄ）前記サーバ装置から前記投稿情報を取得する工程と、
（ｅ）取得された前記投稿情報に基づいて前記メッセージ情報に関する指標を表示する工程と、
（ｆ）前記座標位置を略中心として所定の広さを有する基準報知範囲を設定する工程と、
（ｇ）前記投稿情報を取得した他のユーザの座標位置が、前記基本報知範囲に含まれた場合に、前記他のユーザに対して前記メッセージ情報が存在する旨の報知を行う工程と
を備え、
前記工程（ｆ）は、前記メッセージ情報の種類が交通に関する情報の場合は、前記基準報知範囲よりも狭い第１報知範囲を設定し、前記メッセージ情報の種類が天候に関する情報のときは、前記基準報知範囲、および、前記第１報知範囲よりも広い第２報知範囲を設定し、
前記工程（ｇ）は、前記投稿情報を取得した他のユーザの座標位置が前記第１報知範囲、および、前記第２報知範囲のいずれかの報知範囲に含まれた場合に、前記他のユーザに対して前記メッセージ情報が存在する旨の報知を行うこと、
を特徴とする表示方法。
【発明の詳細な説明】
【技術分野】
【０００１】
本発明は、投稿された情報を表示する表示装置の技術に関する。
【背景技術】
【０００２】
近年、地図画像と当該地図画像上にユーザの現在位置を表示する携帯電話などの携帯機器を車両の車内に持ち込んで、車内に設けられたナビゲーション装置などの表示装置との通信により各種機能を実現することが普及している。その中で、携帯機器と表示装置とが通信により、携帯機器の表示部に表示されている地図画像を含む画像と同じ画像を表示装置の表示部に表示させる。そして、ユーザが表示装置の操作部を操作すると、その操作情報を受信した携帯機器が操作内容を判別して、携帯機器の表示部に表示される画像を新たに生成し、携帯機器の表示部に表示される画像と同じ画像を表示装置の表示部に表示させる機能がある。
【０００３】
このような機能を利用した一例として次のようなものがある。まず、ツイッター（登録商標）などの情報投稿サービスにログインしているユーザが、同じ情報投稿サービスにログインしている他のユーザに対して情報を投稿する。つまり、ユーザが表示装置の操作部を操作することにより、その操作情報を受信した携帯機器がユーザによって投稿する情報を生成する。そして、携帯機器と車両外部に設けられたサーバとが通信を行い、携帯機器から送信された定型文などの情報をサーバに記憶する。
【０００４】
次に、他のユーザの携帯機器がサーバから定型文などの投稿された情報を取得することで、他のユーザの携帯機器の表示部、および、他のユーザの表示装置の表示部の地図画像上に投稿された情報の存在を示すアイコン画像が表示される。そして、アイコン画像を見た他のユーザが投稿された情報に対して定型文などのコメントを生成する。その結果、ユーザは表示装置の表示部などでコメントの内容を確認し、投稿した情報に対する他のユーザからの回答を得ていた。なお、本発明と関連する技術を説明する資料としては特許文献１がある。
【先行技術文献】
【特許文献】
【０００５】
【特許文献１】特開２００８−０５２６０１号公報
【発明の概要】
【発明が解決しようとする課題】
【０００６】
しかしながら、他のユーザの携帯機器が投稿された情報を取得し、地図画像上に投稿された情報の存在を示すアイコン画像が表示されていても、他のユーザが運転中である場合等で表示装置の表示部を見ていない場合は、ユーザが投稿した情報の存在を他のユーザが気づくことはなく、ユーザは情報を投稿したとしても他のユーザからのコメントが得られない場合があった。
【０００７】
本発明は、上記課題に鑑みてなされたものであり、投稿した情報の存在を他のユーザに確実に気づかせて、ユーザが投稿した情報に対する他のユーザからのコメントをより確実に入手できるようにする技術を提供することを目的とする。
【課題を解決するための手段】
【０００８】
上記課題を解決するため、請求項１の発明は、少なくとも地図画像を表示する表示部と、前記地図画像上で、ユーザがメッセージ情報を投稿する座標位置を設定する設定手段と、前記メッセージ情報を生成して前記メッセージ情報、および、前記座標位置を含む投稿情報をサーバ装置に送信する情報生成手段と、前記サーバ装置から前記投稿情報を取得する取得手段と、取得された前記投稿情報に基づいて前記メッセージ情報に関する指標を表示する表示制御手段と、前記座標位置を略中心として所定の広さを有する基準報知範囲を設定する範囲設定手段と、前記投稿情報を取得した他のユーザの座標位置が、前記基準報知範囲に含まれた場合に、前記他のユーザに対して前記メッセージ情報が存在する旨の報知を行う報知手段と、を備え、前記範囲設定手段は、前記メッセージ情報の種類が交通に関する情報の場合は、前記基準報知範囲よりも狭い第１報知範囲を設定し、前記メッセージ情報の種類が天候に関する情報のときは、前記基準報知範囲、および、前記第１報知範囲よりも広い第２報知範囲を設定し、前記報知手段は、前記投稿情報を取得した他のユーザの座標位置が前記第１報知範囲、および、前記第２報知範囲のうちいずれかの報知範囲に含まれた場合に、前記他のユーザに対して、前記メッセージ情報が存在する旨の報知を行う。
【０００９】
また、請求項２の発明は、少なくとも地図画像を表示する表示部と、前記地図画像上で、ユーザがメッセージ情報を投稿する座標位置を設定して生成した前記メッセージ情報、および、前記座標位置を含む投稿情報を記憶するサーバ装置から前記投稿情報を取得する取得手段と、取得された前記投稿情報に基づいて前記メッセージ情報に関する指標を表示する表示制御手段と、前記座標位置を略中心として所定の広さを有する基準報知範囲を設定する範囲設定手段と、前記投稿情報を取得した他のユーザの座標位置が前記基準報知範囲に含まれた場合に、前記他のユーザに対して前記メッセージ情報が存在する旨の報知を行う報知手段と、を備え、前記範囲設定手段は、前記メッセージ情報の種類が交通に関する情報の場合は、前記基準報知範囲よりも狭い第１報知範囲を設定し、前記メッセージ情報の種類が天候に関する情報のときは、前記基準報知範囲、および、前記第１報知範囲よりも広い第２報知範囲を設定し、前記報知手段は、前記投稿情報を取得した他のユーザの座標位置が前記第１報知範囲、および、前記第２報知範囲のいずれかの報知範囲に含まれた場合に、前記他のユーザに対して前記メッセージ情報が存在する旨の報知を行う。
【００１０】
また、請求項３の発明は、請求項１または２のいずれかに記載の表示装置において、前記範囲設定手段は、前記メッセージ情報の種類が観光に関する情報の場合は、前記第１報知範囲および前記第２報知範囲とは広さが異なる第３報知範囲を設定し、前記報知手段は、前記投稿情報を取得した他のユーザの座標位置が前記第３報知範囲に含まれた場合に、前記他のユーザに対して前記メッセージ情報が存在する旨の報知を行う。
【００１１】
また、請求項４の発明は、請求項１ないし３のいずれかに記載の表示装置において、前記指標は、前記ユーザが前記メッセージ情報を投稿した地点の位置を指し示す。
【００１２】
また、請求項５の発明は、複数種のコンテンツをデコード可能な電子装置に含まれるコンピュータによって実行可能なプログラムであって、前記プログラムの前記コンピュータによる実行は、前記コンピュータに、（ａ）少なくとも地図画像を表示部に表示する工程と、（ｂ）前記地図画像上で、ユーザがメッセージ情報を投稿する座標位置を設定する工程と、（ｃ）前記メッセージ情報を生成して前記メッセージ情報、および、前記座標位置を含む投稿情報をサーバ装置に送信する工程と、（ｄ）前記サーバ装置から前記投稿情報を取得する工程と、（ｅ）取得された前記投稿情報に基づいて前記メッセージ情報に関する指標を表示する工程と、（ｆ）前記座標位置を略中心として所定の広さを有する基準報知範囲を設定する工程と、（ｇ）前記投稿情報を取得した他のユーザの座標位置が、前記基本報知範囲に含まれた場合に、前記他のユーザに対して前記メッセージ情報が存在する旨の報知を行う工程とを実行させ、前記工程（ｆ）は、前記メッセージ情報の種類が交通に関する情報の場合は、前記基準報知範囲よりも狭い第１報知範囲を設定し、前記メッセージ情報の種類が天候に関する情報のときは、前記基準報知範囲、および、前記第１報知範囲よりも広い第２報知範囲を設定し、前記工程（ｇ）は、前記投稿情報を取得した他のユーザの座標位置が前記第１報知範囲、および、前記第２報知範囲のいずれかの報知範囲に含まれた場合に、前記他のユーザに対して前記メッセージ情報が存在する旨の報知を実行する。
【００１３】
また、請求項６の発明は、（ａ）少なくとも地図画像を表示部に表示する工程と、（ｂ）前記地図画像上で、ユーザがメッセージ情報を投稿する座標位置を設定する工程と、（ｃ）前記メッセージ情報を生成して前記メッセージ情報、および、前記座標位置を含む投稿情報をサーバ装置に送信する工程と、（ｄ）前記サーバ装置から前記投稿情報を取得する工程と、（ｅ）取得された前記投稿情報に基づいて前記メッセージ情報に関する指標を表示する工程と、（ｆ）前記座標位置を略中心として所定の広さを有する基準報知範囲を設定する工程と、（ｇ）前記投稿情報を取得した他のユーザの座標位置が、前記基本報知範囲に含まれた場合に、前記他のユーザに対して前記メッセージ情報が存在する旨の報知を行う工程とを備え、前記工程（ｆ）は、前記メッセージ情報の種類が交通に関する情報の場合は、前記基準報知範囲よりも狭い第１報知範囲を設定し、前記メッセージ情報の種類が天候に関する情報のときは、前記基準報知範囲、および、前記第１報知範囲よりも広い第２報知範囲を設定し、前記工程（ｇ）は、前記投稿情報を取得した他のユーザの座標位置が前記第１報知範囲、および、前記第２報知範囲のいずれかの報知範囲に含まれた場合に、前記他のユーザに対して前記メッセージ情報が存在する旨の報知を行う。
【発明の効果】
【００１５】
請求項１から７の発明によれば、ユーザのメッセージ情報の存在を他のユーザに確実に気づかせることで、ユーザは他のユーザからのコメントを得られる可能性が高くなる。また、他のユーザはコメントを希望しているメッセージ情報の有無を確実に知ることができる。しかも、メッセージ情報が存在する位置に対して所定範囲に他のユーザが入った場合に報知されるため、コメントを得る他のユーザを限定することができ、より適切なコメントを得られる可能性が高くなる。
【００１６】
また特に請求項４の発明によれば、メッセージ情報の種類に応じて報知する範囲を変えることで、メッセージ情報を投稿するユーザがコメントを希望する他のユーザのみにメッセージ情報の存在を気づかせて、より適切なコメントを得られる可能性が高くなる。
【００１７】
さらに特に請求項５の発明によれば、メッセージ情報を投稿するユーザが報知範囲を任意に変更可能とすることで、メッセージ情報に対してコメントを希望する範囲をユーザ自身で任意に設定できる。
【図面の簡単な説明】
【００１８】
【図１】図１は、本実施の形態に係る情報投稿システムの概要を示す図である。
【図２】図２は、表示装置の概要を示すブロック図である。
【図３】図３は、携帯機器の概要を示すブロック図である。
【図４】図４は、表示装置の表示部に表示される画像を示している。
【図５】図５は、表示装置の表示部に表示される画像を示している。
【図６】図６は、表示装置の表示部に表示される画像を示している。
【図７】図７は、表示装置の表示部に表示される画像を示している。
【図８】図８は、表示装置の表示部に表示される画像を示している。
【図９】図９は、第１の実施の形態の携帯機器の処理フローチャートを示す図である。
【図１０】図１０は、第１の実施の形態の携帯機器の処理フローチャートを示す図である。
【図１１】図１１は、第１の実施の形態の携帯機器の処理フローチャートを示す図である。
【図１２】図１２は、第１の実施の形態の携帯機器の処理フローチャートを示す図である。
【図１３】図１３は、表示装置の表示部に表示される画像を示す図である。
【図１４】図１４は、表示装置の表示部に表示される画像を示す図である。
【図１５】図１５は、第２の実施の形態の携帯機器の処理フローチャートを示す図である。
【図１６】図１６は、第２の実施の形態の携帯機器の処理フローチャートを示す図である。
【発明を実施するための形態】
【００１９】
以下、図面を参照しつつ本発明の実施の形態について説明する。
【００２０】
＜１．第１の実施の形態＞
＜１−１．情報投稿システムの構成＞
図１は、本実施の形態に係る情報投稿システム１の概要を示す図である。情報投稿システム１は、車両１１内に備えられている車両用表示装置２(以下、「表示装置２」という。）、および、携帯機器３を有している。また、情報投稿システム１は、音声格納サーバ１０１、ツイッター（登録商標）サーバ１０２、および、地図サーバ１０３を備えている。
【００２１】
なお、以下においては車両１１の運転者を含む乗員で、かつ、表示装置２、および、携帯機器３の少なくともいずれか一方を操作する者を「車両１１のユーザ」という場合がある。また、車両１１のユーザとは異なるユーザであり、車両１１ａの運転者を含む乗員で表示装置２ａ、および、携帯機器３ａの少なくともいずれか一方を操作する者を「他のユーザ」という場合がある。さらに、車両１１のユーザおよび他のユーザの両方を含むそれぞれのユーザを「各ユーザ」という場合がある。
【００２２】
また、以下の説明、および図面において、車両１１のユーザとは異なるユーザである他のユーザが用いる装置を表す場合は、車両１１のユーザが用いる装置と区別するために、車両１１ａ、表示装置２ａ、および、携帯機器３ａのようにａ付きで表示する。但し、他のユーザの各装置、機器の構成は車両１１のユーザのものと同様である。
【００２３】
図１に示す表示装置２（２ａ）は、車両１１（１１ａ）内で使用され、少なくとも表示部（例えば、図２に示す表示部２２（２２ａ））を有する電子機器である。表示装置２（２ａ）は、車両１１（１１ａ）のダッシュボードの開口部に設置して使用する、いわゆる嵌め込み型の電子機器や、ダッシュボード上に設置部材を用いて設置して使用する電子機器等、車両１１（１１ａ）のユーザが、表示部２２（２２ａ）に表示された画像を視認可能な電子機器であればよい。
【００２４】
携帯機器３（３ａ）は、後述する地図サーバ１０３から地図画像を取得し、例えば、当該地図画像と地図画像上の携帯機器３（３ａ）の現在位置を示す画像（車両１１（１１ａ）の現在位置を示す画像）とを表示部（例えば、図３に示す表示部３２（３２ａ））に表示する機能を有する可搬型の電子機器である。携帯機器３（３ａ）としては、例えば、スマートフォン、携帯電話、ＰＤＡ(Personal Digital Assistant)等が挙げられる。
【００２５】
なお、携帯機器３（３ａ）と表示装置２（２ａ）とは通信可能に構成されており、携帯機器３（３ａ）は、携帯機器の内部で生成し、表示部３２（３２ａ）に表示されている画像情報を表示装置２（２ａ）に送信する。表示装置２（２ａ）は、受信した画像情報を表示部２２（２２ａ）に表示する。
【００２６】
また、情報投稿システム１は、例えばツイッター（登録商標）などの情報投稿サービスに基づくものである。具体的にはサービスにログインしている車両１１のユーザが同じサービスにログインしている他のユーザに対し、例えば、車両１１のユーザの音声を録音した情報（以下、「メッセージ情報」ともいう。）を携帯機器３を介して投稿する。また、「メッセージ情報」は、車両１１のユーザの音声を録音した情報だけではなく、音声を録音した情報を音声格納サーバ１０１に保存した保存場所（例えば、ＵＲＬ（Uniform Resource Locator））も含む。さらに、特に、メッセージ情報のうち音声を録音した情報に限られる場合は「音声ファイル」といい、メッセージ情報のうち音声を録音した情報を音声格納サーバ１０１に保存した保存場所に限られる場合は、「音声ファイルの保存場所」という。
【００２７】
次に、図１に示す音声格納サーバ１０１、ツイッターサーバ１０２、および、地図サーバ１０３は、車両１１の外部に設けられたサーバ装置である。音声格納サーバ１０１は、車両１１のユーザの携帯機器３から送信されたメッセージ情報である音声ファイルを記録する。そして、携帯機器３にメッセージ情報である音声ファイルの保存場所を送信する。また、音声格納サーバ１０１は、車両１１のユーザのあるメッセージ情報に対して他のユーザのコメントの音声を保存する。この他のユーザのコメントは音声ファイルで生成され、車両１１のユーザのメッセージ情報との対応付けがなされている。そして、音声格納サーバ１０１は、携帯機器３ａに他のユーザの音声ファイルの保存場所（ＵＲＬ）を送信する。
【００２８】
ツイッターサーバ１０２は携帯機器３（３ａ）から送信されるメッセージ情報と、車両１１のユーザがメッセージ情報を投稿する際に設定した座標位置（緯度／経度）との２つの情報を記録し、定型文（例えば、情報が投稿された旨の文章）と、音声ファイルの保存場所とを時系列に様々なユーザのつぶやき情報が表示されるタイムライン上に表示させる。なお、以下ではメッセージ情報と、車両１１のユーザがメッセージ情報を投稿する際に設定した座標位置との情報とをあわせて「投稿情報」という。
【００２９】
また、ツイッターサーバ１０２は、ツイッターのサービスにログインしている複数のユーザの座標位置（緯度／経度）の情報を収集する。そして、ツイッターのサイビスにログインしている複数のユーザの携帯機器３（３ａ）の座標位置の情報を各ユーザに送信する。
【００３０】
地図サーバ１０３は携帯機器３（３ａ）の表示部３２（３２ａ）に表示する地図画像を各ユーザの携帯機器３（３ａ）からの地図画像の取得要求に応じて送信する。
【００３１】
＜１−２．車両用表示装置の構成＞
以下、情報投稿システム１の各部の構成、および、処理について説明する。まず、表示装置２（２ａ）の構成について説明する。図２は、表示装置２（２ａ）の概要を示すブロック図である。図２に示すように、表示装置２（２ａ）は、通信部２１（２１ａ）、表示部２２（２２ａ）、操作部２３（２３ａ）、および、制御部２４（２４ａ）を備えている。
【００３２】
通信部２１（２１ａ）は、携帯機器３（３ａ）と通信可能に接続され、携帯機器３（３ａ）との間で情報の送受信を行う。例えば、通信部２１（２１ａ）は、車両１１（１１ａ）のユーザが操作部２３（２３ａ）を操作した際の操作内容を操作情報として携帯機器３（３ａ）に送信し、携帯機器３（３ａ）で表示される画像情報を受信する。なお、表示装置２（２ａ）と携帯機器３（３ａ）との通信は、ケーブルを直接接続した有線による通信でもよく、無線通信でもよい。無線通信の場合における通信方法は、携帯機器３（３ａ）と表示装置２（２ａ）との間で遅延が生じることなく情報の送受信を行うことができるものであればよく、例えば、ブルートゥース（Bluetooth：登録商標）や、Ｗｉ−Ｆｉ（ワイファイ：登録商標）、ＺｉｇＢｅｅ（ジグビー：登録商標）等の無線通信規格を用いることができる。
【００３３】
表示部２２（２２ａ）は、携帯機器３（３ａ）から送信された画像を表示する。例えば地図画像上に後述する投稿情報に対応するアイコン（以下、「投稿アイコン」ともいい、例えば、図５の画像ｓｃ１４に示す投稿アイコンｉｃ１０１）の画像等を重畳表示した画像を表示するものであり、例えば液晶ディスプレイや、有機ＥＬディスプレイ等である。
【００３４】
操作部２３（２３ａ）は、機械式のボタンやタッチパネルを備えた情報の入力装置である。例えば、車両１１のユーザが操作部２３を操作することによって、後述する携帯機器３の情報生成部４３（４３ａ）で音声ファイルを生成するための各種操作や、表示設定等の操作を行うことができる。なお、操作部２３（２３ａ）は、表示部２２（２２ａ）と一体のタッチパネルとして構成してもよい。
【００３５】
制御部２４（２４ａ）は、操作判定部２４１（２４１ａ）と表示制御部２４２（２４２ａ）とを備えており、また、図示しないＣＰＵ、ＲＡＭ、及びＲＯＭを備えるコンピュータである。制御部２４（２４ａ）は、表示装置２（２ａ）が備える通信部２１（２１ａ）等と接続され、表示装置２（２ａ）の全体を制御する。
【００３６】
操作判定部２４１（２４１ａ）は各ユーザの操作部２３（２３ａ）の操作内容を判定する。つまり、操作判定部２４１は、例えば車両１１のユーザが表示装置２の操作部２３を操作して音声ファイルを生成する操作を行った場合にその画面座標位置を検出し、当該画面座標位置の情報を通信部２１を介して携帯機器３に送信する。
【００３７】
ここで、音声ファイルを生成する操作とは、例えば、車両１１のユーザがタッチパネルである表示部２２に指などを接触させて地図画像上の位置（例えば、図４上図に示す基本画像ｓｃ１１の地点Ａ１）を選択して座標位置を設定する操作、および、音声を録音する場合に表示部２２に指などを接触させて特定のボタン画像（例えば、図５上図に示すメッセージ生成画像ｓｃ１３の録音ボタンｂｔ１８の画像）を選択する操作等をいう。
【００３８】
また、操作判定部２４１ａは、例えば、他のユーザが表示装置２ａの操作部２３ａを操作して車両１１のユーザの音声ファイルの情報に対する他のユーザの音声ファイルの情報を生成する操作を行った場合にその画面座標位置を検出し、当該画面座標位置の情報を通信部２１ａを介して携帯機器３ａに送信する。
【００３９】
ここで、他のユーザの音声ファイルを生成する操作とは、例えば、他のユーザがタッチパネルである表示部２２ａに指などを接触させて地図画像上の投稿アイコン(例えば、図６下図に示す範囲内画像ｓｃ２２の投稿アイコンｉｃ１０１ａ）を選択する操作、および、音声を録音する場合に表示部２２に指などを接触させて特定のボタン画像（例えば、図７上図に示すコメント生成画像ｓｃ２４の録音ボタンｂｔ１８の画像）を選択する操作等をいう。
【００４０】
表示制御部２４２（２４２ａ）は、携帯機器３（３ａ）から送られた画像を表示部２２（２２ａ）に表示する。つまり、表示部２２（２２ａ）に各種画像（例えば、地図画像、投稿アイコンｉｃ１０１ａの画像、および、録音ボタンｂｔ１８の画像等）を表示する。
【００４１】
＜１−３．携帯機器の構成＞
次に携帯機器３（３ａ）の構成について説明する。図３は、携帯機器３（３ａ）の概要を示すブロック図である。図３に示すように、携帯機器３（３ａ）は、通信部３１（３１ａ）、表示部３２（３２ａ）、操作部３３（３３ａ）、ＧＰＳ（Global Positioning System）３４（３４ａ）、送受信部３５（３５ａ）、マイク３６（３６ａ）、記憶部３７（３７ａ）、および、スピーカ３８（３８ａ）を主に備えている。
【００４２】
通信部３１（３１ａ）は、携帯機器３（３ａ）と表示装置２（２ａ）とが通信可能に接続され、表示装置２（２ａ）との間で情報の送受信を行う。通信部３１（３１ａ）は、表示装置２（２ａ）に対して、自身の表示部３２で表示している画像を送信すると共に、地図画像にアイコン等を重畳した表示画像を送信する。そして、表示装置２（２ａ）から各ユーザが操作部２３（２３ａ）を操作した画面座標位置の情報を受信する。なお、通信の方法は、前述した表示装置２（２ａ）の通信部２１（２１ａ）が用いている方法と同じ方法を用いればよい。
【００４３】
表示部３２（３２ａ）は、地図サーバ１０３から受信した地図画像に、投稿アイコンｉｃ１０１の画像等を重畳表示することで表示制御部４６（４６ａ）で作成された表示画像を表示するものであり、例えば液晶ディスプレイや、有機ＥＬディスプレイ等である。
【００４４】
操作部３３（３３ａ）は、機械式のボタンやタッチパネルを備えた情報の入力装置である。携帯機器３（３ａ）の情報生成部４３（４３ａ）で投稿情報を生成するための各種操作や、表示設定等の操作を行うことができる。なお、操作部３３（３３ａ）は、表示部３２（３２ａ）と一体のタッチパネルとして構成してもよい。
【００４５】
ＧＰＳ３４（３４ａ）は、複数のＧＰＳ衛星からの信号を受信して、携帯機器３（３ａ）の位置（すなわち、車両１１（１１ａ）の位置）を示す座標位置の情報を取得する。
【００４６】
送受信部３５（３５ａ）は、携帯機器３（３ａ）と各サーバ装置（音声格納サーバ１０１、ツイッターサーバ１０２、地図サーバ１０３）との情報の送受信を行う。例えば、送受信部３５（３５ａ）は、音声格納サーバ１０１に音声ファイルを送信する。また、送受信部３５（３５ａ）は音声格納サーバ１０１から音声ファイルの保存場所の情報を受信する。さらに、送受信部３５（３５ａ）は、ツイッターサーバ１０２と投稿情報を送受信し、地図サーバ１０３から地図情報を受信する。
【００４７】
マイク３６（３６ａ）は、情報生成部４３（４３a）が車両１１のユーザ音声、および、他のユーザの音声を録音する際に用いられる装置である。例えば、表示部３２（３２ａ）に表示される録音開始ボタン（例えば、図５上図に示すメッセージ生成画像ｓｃ１３の録音ボタンｂｔ１８）の画像を車両１１のユーザが操作することで、車両１１のユーザの音声をマイク３６が電気信号に変換する。
【００４８】
記憶部３７（３７ａ）は、投稿情報３７１（３７１ａ）、および、報知範囲３７２（３７２ａ）、および、地図画像３７３（３７３ａ）を記憶する。また、記憶部３７（３７ａ）には携帯機器３（３ａ）の各種機能を実現するプログラムが記憶されている。
【００４９】
投稿情報３７１（３７１ａ）は、後述する取得部４４（４４ａ）が送受信部３５（３５ａ）を介してツイッターサーバ１０２から取得した情報である。また、投稿情報３７１（３７１ａ）には、各ユーザがツイッターサーバ１０２に送信する投稿情報が含まれる。
【００５０】
報知範囲３７２（３７２ａ）は、後述するメッセージ情報を投稿した座標位置を中心に所定の広さを有した範囲（例えば、車両１１のユーザがメッセージ情報を投稿する際に設定した座標位置を略中心とする半径５００ｍの円内）の情報であり、具体的には、後述する範囲判定部４７（４７ａ）が他のユーザの座標位置が当該報知範囲に対応する座標位置に含まれたか否かを判定する場合に読み出される情報である。
【００５１】
地図画像３７３（３７３ａ）は送受信部３５（３５ａ）を介して地図サーバ１０３から送信された地図データであり、後述する位置導出部４５（４５ａ）が導出した車両１１（１１ａ）の現在位置周辺の地図画像が読み出される。
【００５２】
スピーカ３８（３８ａ）は、後述する報知部４８（４８ａ）が他のユーザにメッセージ情報が存在する旨の報知を行う場合に、音響情報を出力する装置である。また、スピーカ３８（３８ａ）は、車両１１のユーザが録音した音声、および、他のユーザが録音した音声の少なくともいずれかの音響情報を出力する装置である。スピーカ３８（３８ａ）は、例えば、制御部４０により再生された音声ファイルの音響情報を出力する。
【００５３】
制御部４０（４０ａ）は、操作判定部４１（４１ａ）、設定部４２（４２ａ）、情報生成部４３（４３ａ）、取得部４４（４４ａ）、位置導出部４５（４５ａ）、表示制御部４６（４６ａ）、範囲判定部４７（４７ａ）、および、報知部４８（４８ａ）を備えている。また、制御部４０（４０a）は図示しないＣＰＵ、ＲＡＭ、および、ＲＯＭを備えるコンピュータである。制御部４０（４０ａ）は、携帯機器３（３ａ）が備える記憶部３７（３７ａ）および通信部３１（３１ａ）等と接続され、携帯機器３（３ａ）の全体を制御する。
【００５４】
操作判定部４１（４１ａ）は、各ユーザが携帯機器３（３ａ）の操作部３３（３３ａ）を操作することによって、音声ファイルの情報を生成する操作等が行われた場合にその操作内容を判定し、当該操作内容に対応する機能を動作させる。
【００５５】
また、操作判定部４１（４１ａ）は、前述のように各ユーザが表示装置２（２ａ）の操作部２３（２３ａ）を操作した画面座標位置を通信部３１（３１ａ）を介して受信したときは、当該画面座標位置に基づき操作内容を検出する。そして、検出した操作内容に基づいて各機能を動作させる。つまり、各ユーザは携帯機器３の操作部３３、および、表示装置２の操作部２３のどちらからでも同じ機能を動作させることができる。
【００５６】
設定部４２（４２ａ）は、車両１１のユーザが選択した地図画像上のメッセージ情報を投稿したい地点に対応する座標位置を、メッセージ情報を投稿する座標位置（以下、「メッセージ投稿位置」ともいう。）として設定する。
【００５７】
情報生成部４３（４３ａ）は、メッセージ情報を生成して、投稿情報をツイッターサーバ１０２に送信する。つまり、情報生成部４３は、車両１１のユーザの音声を録音して音声ファイルを生成し、音声格納サーバ１０１に音声ファイルを送受信部３５を介して送信する。そして、情報生成部４３は、音声格納サーバ１０１から音声ファイルの保存場所の情報を送受信部３５を介して受信し、メッセージ投稿位置の情報と共に投稿情報として送受信部３５を介してツイッターサーバ１０２に送信する。
【００５８】
また、情報生成部４３ａは、あるメッセージ情報に対してコメントするときの他のユーザの音声の録音情報を音声ファイルで生成し、音声格納サーバ１０１に送受信部３５ａを介して送信する。また、情報生成部４３ａは、音声格納サーバ１０１から音声ファイルの保存場所の情報を送受信部３５ａを介して受信し、当該音声ファイルの保存場所の情報と、この音声ファイルの情報に対応する車両１１のユーザの音声ファイルとの対応情報とを含むコメント情報を送受信部３５ａを介してツイッターサーバ１０２に送信する。
【００５９】
取得部４４（４４ａ）は、ツイッターサーバ１０２から各ユーザの投稿情報を取得し、投稿情報３７１（３７１ａ）として記憶部３７（３７ａ）に記憶する。また、車両１１のユーザの投稿情報に対する他のユーザの音声ファイルが音声格納サーバ１０１に保存されている場合は、他のユーザの音声ファイルおよび他のユーザの音声ファイルの保存場所の情報のいずれか一方を取得して記憶部３７（３７ａ）に記憶させる。
【００６０】
また、取得部４４は、所定時間ごと、例えば１０分ごとにツイッターサーバ１０２から最新の投稿情報を自動的に取得し、記憶部３７の投稿情報３７１（３７１ａ）に上書きして記憶させる。
【００６１】
位置導出部４５（４５ａ）は、ＧＰＳ３４（３４ａ）から取得した情報から、携帯機器３（３ａ）の座標位置の情報を導出する。
【００６２】
表示制御部４６（４６ａ）は、表示部３２（３２ａ）に各種画像を表示させる。例えば、表示制御部４６（４６ａ）は、投稿情報３７１（３７１ａ）に基づいて、メッセージ情報が投稿された座標位置に対応する地図画像上の位置に投稿アイコンの画像を表示させる。また、表示制御部４６（４６ａ）は、携帯機器３（３ａ）の座標位置に対応する地図画像上の位置に自車アイコン（例えば、図５に示す自車アイコンｉｃ１）を表示させる。
【００６３】
範囲判定部４７（４７ａ）は、報知範囲３７２（３７２ａ）の情報に基づいて、携帯機器３（３ａ）の座標位置が、メッセージ情報が存在する旨の報知を行う所定範囲に含まれるか否かを判定する。例えば、範囲判定部４７ａは携帯機器３ａのＧＰＳ３４ａからの情報に基づいて位置導出部４５ａが導出した携帯機器３（３ａ）の座標位置が、報知範囲に含まれるか否かを判定する。
【００６４】
報知部４８（４８ａ）は、携帯機器３（３ａ）の座標位置がメッセージ情報が存在する旨の報知を行う所定範囲に含まれた場合に、メッセージ情報が存在する旨の報知を行う。例えば、携帯機器３（３ａ）の座標位置がメッセージ情報が存在する旨の報知を行う所定範囲に含まれた場合に、報知部４８ａが他のユーザにメッセージ情報が存在する旨の報知を行う。これにより、車両１１のユーザのメッセージ情報の存在を他のユーザに確実に気づかせることで、車両１１のユーザは他のユーザからのコメントを得られる可能性が高くなる。また、他のユーザはコメントを希望しているメッセージ情報の有無を確実に知ることができる。なお、他のユーザへの報知の方法は、例えば、スピーカ３８（３８ａ）から出力される音響情報や、表示部３２（３２ａ）表示される画像を点滅させるなどがある。
【００６５】
＜１−４．画面遷移＞
図４上図は携帯機器３の情報投稿システム用プログラムが起動され、メッセージ情報の投稿がなされていない状態の基本画像ｓｃ１１（以下、単に「画像ｓｃ１１」という。）を示す図である。また、図４下図は、メッセージ情報を投稿する場合に投稿位置を決定するときの地点選択画像ｓｃ１２（以下、単に「画像ｓｃ１２」という。）を示す図である。どちらも車両１１のユーザの表示装置２の表示部２２に表示される画像として示している。なお、以下に説明する図４〜図８に示す画像については、携帯機器３の表示部３２にも表示され、通信部３１を介して表示装置２の表示部２２に同様の画像が表示される。
【００６６】
地図画像上に後述する自車アイコンｉｃ１が表示されている画像ｓｃ１１では、表示制御部４６がＧＰＳ３４の情報に基づいて位置導出部４５により導出された携帯機器３、即ち車両１１の座標位置に基づき、記憶部３７から読み出された地図画像３７３と共にその対応する位置に、自車アイコンｉｃ１を表示する。なお、表示される地図画像は自車アイコンｉｃ１が地図画像の略中央位置に位置するよう切り出される。また、表示制御部４６は、ツイッターサーバ１０２から得た他のユーザの携帯機器３ａ、即ち他のユーザの車両１１ａの座標位置に基づき、地図画像３７３の対応する位置にユーザアイコンｉｃ２を表示する。
【００６７】
また、表示制御部４６はタッチパネル式の操作ボタン（ｂｔ１１〜ｂｔ１４）を地図画像の周囲に重畳表示する。投稿開始ボタンｂｔ１１は、メッセージ情報を投稿する場合に各ユーザが操作するボタンである。例えば、車両１１のユーザが投稿開始ボタンｂｔ１１を操作すると、予め定めた座標位置、例えば、地図画像上の略中央に対応する座標位置がメッセージ投稿位置として選択される。
【００６８】
なお、各ユーザがメッセージ投稿位置を任意に選択する場合は次のような操作を行ってもよい。例えば、表示部２２の地図画像上の地点Ａ１に車両１１のユーザが指などを複数回接触させることで、地点Ａ１に対応する座標位置をメッセージ投稿位置として選択してもよい。
【００６９】
現在地ボタンｂｔ１２は、表示されている地図をスクロールする等により自車アイコンｉｃ１が表示範囲外になっているような場合に、自車アイコンｉｃ１を地図上に表示させるものである。具体的には、現在地ボタンｂｔ１２を車両１１のユーザが操作することで、自車アイコンｉｃ１が地図画像上の略中央に位置するよう表示される。
【００７０】
縮尺調整ボタンｂｔ１３は、表示部２２に表示されている地図画像を拡大／縮小するボタンである。つまり、車両１１のユーザが「＋」のボタンを操作することで、地図の縮尺を拡大し、車両１１のユーザが「−」のボタンを操作することで、地図の縮尺を縮小する。
【００７１】
更新ボタンｂｔ１４は、地図画像上に表示される情報を最新の情報に更新するボタンである。つまり、車両１１のユーザが更新ボタンｂｔ１４を操作することで、ツイッターサーバ１０２に情報取得要求が送信され、最新の投稿情報を取得して、記憶部３７の投稿情報３７１として記憶する。そして、地図画像上に表示されている情報（例えば、図４上図に示す画像ｓｃ１１のユーザのアイコンｉｃ２、図６上図に示す範囲外画像ｓｃ２１に示す投稿アイコンｉｃ１０１ａ）の表示位置や表示内容等が最新の投稿情報に対応するように更新される。
【００７２】
画像ｓｃ１１に対してユーザがメッセージ情報を投稿する座標位置（例えば、地点Ａ１）を選択すると、画像ｓｃ１２に示すように、表示制御部４６は、車両１１のユーザに選択された地図画像上の地点Ａ１の近傍に、投稿位置アイコンｉｃ３と報知範囲ｔｅ１の画像を表示する。具体的には投稿位置アイコンｉｃ３は車両１１のユーザが選択した地点Ａ１の位置を指し示す。  
【００７３】
また、画像ｓｃ１２では、表示制御部４６が画像ｓｃ１１の更新ボタンｂｔ１４の位置に、次画面ボタンｂｔ１５を表示する。この次画面ボタンｂｔ１５を車両１１のユーザが操作すると、設定部４２は車両１１のユーザが選択した地点（地点Ａ１）に対応する座標位置をメッセージ情報を投稿する座標位置として設定する。
【００７４】
なお、表示制御部４６は、戻るボタン１７を画像ｓｃ１２に表示し、この戻るボタン１７の操作により、表示部２２に表示されていた一つ前の画像が表示される。つまり、車両１１のユーザが戻るボタンｂｔ１７を操作すると、表示制御部４６は、一つ前の画像である画像ｓｃ１１を表示部２２に表示させる。
【００７５】
図５上図は、メッセージ情報を投稿する座標位置の設定に伴い、表示部２２に表示される音声を録音して投稿する操作を行うメッセージ生成画像ｓｃ１３（以下、単に「画像ｓｃ１３」という。）を示す図である。また、図５下図は、表示制御部４６がツイッターサーバ１０２から取得した投稿情報に基づいて地図画像上に投稿アイコンｉｃ１０１を表示する投稿表示画像ｓｃ１４（以下、単に「画像ｓｃ１４」という。）を示す図である。
【００７６】
画像ｓｃ１３では、表示制御部４６が車両１１のユーザの音声を録音する際に操作する画像を表示部２２に表示する。また、表示制御部４６は、タッチパネル式の操作ボタンである録音ボタンｂｔ１８、投稿ボタンｂｔ１９、および、戻るボタンｂｔ２０を表示するとともに、計測バーｇａを画像中に表示する。車両１１のユーザがメッセージを投稿するために録音ボタンｂｔ１８を操作すると、情報生成部４３はマイク３６を動作させ、車両１１のユーザの音声を電気信号に変換する。そして、情報生成部４３は音声ファイルを生成する。
【００７７】
また、車両１１のユーザが録音ボタンｂｔ１８を操作することで、表示制御部４６は録音時間の経過に伴い計測バーｇａの色を変化させる。そして、録音終了後に車両１１のユーザが投稿ボタンｂｔ１９を操作すると、情報生成部４３が生成された音声ファイルを音声格納サーバ１０１に送信する。
【００７８】
なお、戻るボタンｂｔ２０は表示部２２に表示されていた一つ前の画像を表示させる機能を有する。つまり、車両１１のユーザが戻るボタンｂｔ２０を操作すると、表示制御部４６は、一つ前の画像である画像ｓｃ１２を表示部２２に表示させる。
【００７９】
ここで、情報生成部４３が音声格納サーバ１０１に送信した音声ファイルは音声格納サーバ１０１に記憶される。そして、音声ファイルの保存場所の情報が音声格納サーバ１０１から車両１１のユーザの携帯機器３に送信される。音声ファイルの保存場所の情報を受信した携帯機器３の情報生成部４３は、当該音声ファイルの保存場所の情報と、車両１１のユーザがメッセージ情報を投稿する際に設定したメッセージ投稿位置の情報とを含む投稿情報をツイッターサーバ１０２に送信する。そして、ツイッターサーバ１０２は、各ユーザの携帯機器３（３ａ）の取得部４４（４４ａ）の情報取得要求に応じて、投稿情報を各ユーザの携帯機器３（３ａ）に送信する。
【００８０】
画像ｓｃ１４では、画像ｓｃ１１に表示された画像に加えて、取得部４４がツイッターサーバ１０２から取得した投稿情報に基づいて、投稿アイコンｉｃ１０１の画像を表示制御部４６が表示部２２に表示している。投稿アイコンｉｃ１０１は車両１１のユーザ自身が投稿したメッセージ情報であり、例えば、表示制御部４６が投稿アイコンｉｃ１０１を青色で表示する。
【００８１】
なお、後述する他のユーザの表示装置２ａの表示部２２ａに表示される投稿アイコン（例えば、図６上図に示す範囲外画像ｓｃ２１の投稿アイコンｂｔ１０１ａ）は例えば、自身が投稿したメッセージ情報と区別するため、異なる色（例えば、緑色）で表示される。また、各ユーザがメッセージ情報の内容を確認した場合は、投稿情報の表示態様が変化する(例えば、色が変わったり、チェックマークが付されたりする）。これらの情報は例えば、ツイッターサーバ１０２で管理され、当該情報を受信した携帯機器３ａの表示制御部４６ａが各表示態様で表示する。
【００８２】
図６上図は、位置導出部４５ａがＧＰＳ３４ａの情報に基づいて導出した他のユーザの座標位置が報知範囲ｔｅ１の範囲外にある状態を表示する範囲外画像ｓｃ２１（以下、単に「画像ｓｃ２１」という。）を示す図である。また、図６下図は、位置導出部４５ａがＧＰＳ３４ａの情報に基づいて導出した他のユーザの座標位置が報知範囲ｔｅ１の範囲に含まれる状態を表示する範囲内画像ｓｃ２２（以下、単に「画像ｓｃ２２」という。）を示す図である。
【００８３】
画像ｓｃ２１では、表示制御部４６ａが記憶部３７ａから読み出した地図画像上に、自車アイコンｉｃ２１、および、ユーザアイコンｉｃ１１を表示している。自車アイコンｉｃ２１は、ＧＰＳ３４ａの情報に基づいて位置導出部４５ａが導出した携帯機器３ａの座標位置に対応する地図画像上の位置に表示されたアイコンである。また、ユーザアイコンｉｃ１１は、ＧＰＳ３４からの情報に基づいて位置導出部４５が導出した携帯機器３の座標位置に対応する地図画像上の位置に表示されたアイコンである。
【００８４】
画像ｓｃ２１では、表示制御部４６ａが表示する車両１１のユーザが投稿したメッセージ情報の存在を示す投稿アイコンｉｃ１０１ａとその投稿アイコンが表示されている地点に対応する報知範囲ｔｅ１が示されている。なお、この報知範囲ｔｅ１は他のユーザから視認できるようになっていてもよいし、視認できないように非表示状態となっていてもよい。この画像ｓｃ２１では自車アイコンｉｃ２１に対応する携帯機器３ａの座標位置が報知範囲ｔｅ１に対応する座標位置に徐々に接近している状態を示しており、所定タイミングで（例えば１分ごとに）範囲判定部４７ａが携帯機器３ａの座標位置が報知範囲ｔｅ１に対応する座標位置の範囲に含まれるか否かを判定している。
【００８５】
そして、範囲内画像ｓｃ２２に示すように自車アイコンｉｃ２１に対応する携帯機器３ａの座標位置が報知範囲ｔｅ１に対応する座標位置の範囲に含まれたと範囲判定部４７ａが判定すると、報知部４８ａは、スピーカ３８ａを介してメッセージ情報が存在する旨の音響情報を他のユーザに報知する。これにより、車両１１のユーザは他のユーザからのコメントを得られる可能性が高くなる。また、他のユーザはコメントを希望しているメッセージ情報の有無を確実に知ることができる。しかも、メッセージ情報が存在する位置に対して所定範囲に他のユーザが入った場合に報知されるため、コメントを得る他のユーザを限定することができ、より適切なコメントを得られる可能性が高くなる。
【００８６】
なお、画像ｓｃ２１の周囲にはタッチパネル式の操作ボタンが地図画像の周囲に重畳表示されている。各操作ボタンの機能は上述の画像ｓｃ１１で説明した機能と同じである。
【００８７】
図７上図は、投稿アイコンｉｃ１０１ａを他のユーザが指などを接触させたことにより、表示制御部４６ａが表示部２２ａに表示する投稿情報の詳細内容を表示する投稿／コメント確認画像ｓｃ２３（以下、単に「画像ｓｃ２３」という。）を示す図である。また、図７下図は、他のユーザがコメント情報となる音声を録音して投稿する操作を行うコメント生成画像ｓｃ２４（以下、単に「画像ｓｃ２４」という。）を示す図である。
【００８８】
画像ｓｃ２３には、次投稿ボタンｂｔ２１、前投稿ボタンｂｔ２２、戻るボタンｂｔ２３、削除ボタンｂｔ２４、再生ボタンｂｔ２５、コメントボタンｂｔ２６などのタッチパネル式の操作ボタンを表示制御部４６ａが表示している。
【００８９】
次投稿ボタンｂｔ２１は、地図画像の一部と他のユーザが選択した投稿アイコンｉｃ１０１ａの画像とが表示された表示窓ｗｄに、次の投稿アイコンの画像と対応する地図画像とを表示させる機能を有する。つまり、次投稿ボタンｂｔ２１を他のユーザが操作することで、地図画像上に表示されている投稿アイコンの中で投稿アイコンｉｃ１０１ａ以外のアイコンが表示窓ｗｄ内に表示される。なお、表示される順序は、例えば、携帯機器３ａの座標位置から距離が近い座標位置の投稿アイコンの画像を順に表示する。
【００９０】
前投稿ボタンｂｔ２２は、表示窓ｗｄに現在表示されている投稿アイコンの一つ前に表示されていた投稿アイコンを表示させる機能を有する。
【００９１】
戻るボタンｂｔ２３は、表示部２２ａに表示されていた一つ前の画像を表示させる機能を有する。つまり、他のユーザが戻るボタンｂｔ２３を操作すると、表示制御部４６ａは、一つ前の画像である画像ｓｃ２２を表示部２２ａに表示させる。
【００９２】
削除ボタンｂｔ２４は、他のユーザが選択した投稿アイコンｉｃ１０１ａを表示部２２ａの表示から削除する機能を有する。
【００９３】
再生ボタンｂｔ２５は、投稿情報に含まれる音声格納サーバ１０１における音声ファイルの保存場所の情報、つまりＵＲＬと対応付けられたボタンであり、当該ボタンを各ユーザが操作することで、音声格納サーバ１０１に格納された車両１１のユーザの音声ファイルを制御部４０（４０ａ）が再生する。
【００９４】
コメントボタンｂｔ２６は、他のユーザが車両１１のユーザの音声ファイルの内容を再生して確認した後に、コメントである音声ファイルを生成するためのボタンであり、当該ボタンを他のユーザが操作することで、図７に示す画像ｓｃ２４を表示制御部４６ａが表示部２２ａに表示する。
【００９５】
画像ｓｃ２４は、他のユーザの音声を録音して、音声フアィルを生成する場合に表示部２２ａに表示される画像であり、録音ボタンｂｔ１８、投稿ボタンｂｔ１９、および、戻るボタンｂｔ２０などのタッチパネル式の操作ボタンを表示制御部４６ａが表示している。画像ｓｃ２４の各ボタン等の機能は、図５の画像ｓｃ１３の各ボタン等の機能と同じである。そして、他のユーザが投稿ボタンｂｔ１９を操作して、コメントを音声で録音した音声ファイルを生成すると、情報生成部４３ａは他のユーザの音声ファイルを音声格納サーバ１０１に送信する。
【００９６】
図８上図は、車両１１のユーザの投稿情報に対して他のユーザがコメント情報を投稿した場合に、表示されるコメント通知画像ｓｃ１５（以下、単に「画像ｓｃ１５」という。）を示す図である。
【００９７】
画像ｓｃ１５は図５で説明した画像ｓｃ１４と略同様の画像であり、一部が相違する。相違する点は、コメント追加表示ａｄの画像が表示されている点である。つまり、定期的あるいは更新ボタンｂｔ１４をユーザが操作することにより、取得部４４がツイッターサーバ１０２から投稿情報を取得した場合に、車両１１のユーザの投稿情報に対して他のユーザからのコメントである音声ファイルが追加されていたときは、画像ｓｃ１５に示すように表示制御部４６がコメント追加表示ａｄの画像を地図画像上に重畳表示する。この状態で車両１１のユーザが投稿アイコンｉｃ１０１に指などを接触させて選択すると、図８下図に示すコメント確認画像ｓｃ１６（以下、単に「画像ｓｃ１６」という。）が表示される。このコメント追加表示ａｄはメッセージを投稿したユーザの携帯機器３にのみ表示される。
【００９８】
画像ｓｃ１６は、図７で説明した画像ｓｃ２３と略同様の構成を有し、一部が相違する。相違する点は、表示窓ｗｄに表示されている投稿アイコンが車両１１のユーザからみた投稿アイコンｉｃ１０１であり、コメント欄ｃｔに他のユーザのコメントである音声ファイルの情報が追加されている点である。つまり、他のユーザの携帯機器３ａから音声格納サーバ１０１に送信された他のユーザの音声ファイルに対する音声格納サーバ１０１の保存場所を示す情報と、車両１１のユーザの音声ファイルとの対応情報とを含むコメント情報を携帯機器３の取得部４４がツイッターサーバ１０２から取得し、投稿アイコンｉｃ１０１に関する詳細情報を表示制御部４６が表示部２２に表示する。
【００９９】
また、コメント情報は投稿された時間が現在の時間から近い順に表示してもよいし、車両１１のユーザの現在の座標位置に対して投稿アイコンの座標位置の距離が近い順に表示してもよい。
【０１００】
削除ボタンｂｔ２７は、車両１１のユーザが選択した投稿アイコンｉｃ１０１を表示部２２の表示から削除する機能を有する。
【０１０１】
再生ボタンｂｔ２８は、他のユーザのコメント情報が音声格納サーバ１０１内で保存された場所、つまりＵＲＬと対応付けられたボタンであり、当該ボタンを各ユーザが操作することで、音声格納サーバ１０１に格納された他のユーザの音声ファイルを制御部４０（４０ａ）が再生する。
【０１０２】
前コメントボタンｂｔ２９は、現在コメント欄に表示されているユーザの前（例えば、録音時間が現在のコメントである音声ファイルの録音時間よりも前）の他ユーザのコメント情報に関する情報をコメント欄ｃｔに表示させる機能を有する。
【０１０３】
次コメントボタンｂｔ３０は、現在コメント欄に表示されているユーザの次（例えば、録音時間が現在のコメントである音声ファイルの録音時間よりも後）の他ユーザのコメント情報に関する情報をコメント欄ｃｔに表示させる機能を有する。このようにして、メッセージを投稿したユーザはボタンｂｔ２８〜ｂｔ２９を操作することでメッセージに対する他のユーザからのコメントを確認することができる。
＜１−５．フローチャート＞
図９、および、図１０は投稿情報を生成しツイッターサーバ１０２に送信するまでの携帯機器３（３ａ）の処理フローチャートを示す図である。なお、本実施の形態では、メッセージ情報を投稿するユーザは車両１１のユーザであるとしている。したがって、処理説明の理解を容易にするため、図９および図１０の処理は車両１１のユーザの携帯機器３の処理を例に説明する。
【０１０４】
ステップＳ１０１では、操作部２３により車両１１のユーザが地図画像をスクロールさせる操作を行ったことを操作判定部４１が検出した場合に、表示制御部４６が記憶部３７に記憶された地図画像３７３を読み出して車両１１のユーザの指定した位置の地図画像を表示部２２に表示させる。  
【０１０５】
次に、ステップＳ１０２では、メッセージ情報を投稿する操作を車両１１のユーザが行ったことを操作判定部４１が検出した場合(ステップＳ１０２がＹｅｓ）、ステップＳ１０２ａの処理に進む。具体的には、車両１１のユーザが投稿開始ボタンｂｔ１１を操作、および、タッチパネルである表示部２２に指などを接触させて地図画像上の位置を選択する操作のいずれかの操作が該当する。なお、車両１１のユーザのメッセージ情報を投稿する操作を操作判定部４１が検出していない場合（ステップＳ１０２がＮｏ）は、ステップＳ１０１の処理に戻る。
【０１０６】
ステップＳ１０２ａでは、車両１１のユーザの操作を操作判定部４１が検出した場合、画像ｓｃ１２に示すように表示制御部４６が、投稿位置アイコンｉｃ３の画像を表示部２２に表示させて（ステップＳ１０２ａ）、ステップＳ１０３の処理に進む。  
【０１０７】
ステップＳ１０３では、車両１１のユーザが地図画像をスクロールさせる操作を行ったことを操作判定部４１が検出した場合に、表示制御部４６は記憶部３７に記憶された地図画像３７３を読み出す。そして、車両１１のユーザが指定した位置の地図画像を表示部２２に表示させて、ステップＳ１０４の処理に進む。なお、ステップＳ１０２ａにおいて、投稿位置アイコンｉｃ３が表示された状態で、ステップＳ１０３で地図をスクロールする場合は、投稿位置アイコンｉｃ３が地図画像上の同じ位置を指し示す状態で地図がスクロールされる。
【０１０８】
次に、ステップＳ１０４では、車両１１のユーザがメッセージ情報を投稿する座標位置を設定したことを操作判定部４１が検出した場合（ステップＳ１０４がＹｅｓ）は、ステップＳ１０４ａの処理に進む。具体的には、車両１１のユーザが画像ｓｃ１２の次画面ボタンｂｔ１５を操作すると、設定部４２が車両１１のユーザが選択した座標位置をメッセージ投稿位置として設定する。なお、操作判定部４１が座標位置を設定する操作を検出していない場合（ステップＳ１０４がＮｏ）は、ステップＳ１０３の処理に戻る。
【０１０９】
ステップＳ１０４ａでは、音声情報を録音して音声ファイルを生成する操作画像等を表示する図５上図に示す画像ｓｃ１３を表示制御部４６が表示して図１０に示すステップＳ１０５の処理に進む。
【０１１０】
ステップＳ１０５では、車両１１のユーザが画像ｓｃ１３の録音ボタンｂｔ１８を操作したことを操作判定部４１が検出すると、情報生成部４３がマイク３６を動作させ、車両１１のユーザの音声の録音が開始され、ステップＳ１０６の処理に進む。
【０１１１】
ステップＳ１０６では、車両１１のユーザの音声の録音が終了した場合（ステップＳ１０６がＹｅｓ）は、ステップＳ１０７の処理に進む。例えば、車両１１のユーザが録音ボタンｂｔ１８を操作したことを操作判定部４１が検出して、１５秒経過した場合に録音が終了する。なお、録音が終了していない場合（ステップＳ１０６がＮｏ）の場合は、ステップＳ１０５の処理に戻って録音を継続する。
【０１１２】
ステップＳ１０７では、情報生成部４３により生成された音声ファイルが音声格納サーバ１０１に送信され、ステップＳ１０８の処理に進む。
【０１１３】
ステップＳ１０８では、音声格納サーバ１０１から送信された音声ファイルの保存場所の情報を送受信部３５を介して制御部４０が受信して、ステップＳ１０９の処理に進む。なお、この音声ファイルの保存場所の情報を含む投稿情報を情報生成部４３が生成する。
【０１１４】
ステップＳ１０９では、制御部４０は、送受信部３５を介して、ツイッターサーバ１０２に定型文を付した投稿情報を送信する。
【０１１５】
図１１は、投稿情報の存在を知らせるための携帯機器３（３ａ）の処理フローチャートを示す図である。なお、本実施の形態では、コメントの情報を投稿するユーザは他のユーザであるとしている。したがって、処理説明の理解を容易にするため、図１１の処理は他のユーザの携帯機器３ａの処理を例に説明する。
【０１１６】
図１１のステップＳ２０１は、他のユーザの携帯機器３ａの取得部４４ａがツイッターサーバ１０２から投稿情報を取得し、ステップＳ２０２の処理に進む。
【０１１７】
ステップＳ２０２では、取得した投稿情報に基づいて表示制御部４６ａが表示部２２ａに表示された地図画像上に投稿アイコンｉｃ１０１ａを表示させ、ステップＳ２０３の処理に進む。
【０１１８】
ステップＳ２０３では、範囲判定部４７ａが携帯機器３ａの座標位置が報知範囲ｔｅ１に対応する座標位置の範囲内に含まれたと判定した場合（ステップＳ２０３がＹｅｓ）に、ステップＳ２０４の処理に進む。なお、範囲判定部４７ａが携帯機器３ａの座標位置が報知範囲ｔｅ１に対応する座標位置の範囲内に含まれていないと判定した場合（ステップＳ２０３がＮｏ）は、ステップＳ２０１の処理に戻る。
【０１１９】
ステップＳ２０４は、報知部４８ａがスピーカ３８ａを介して他のユーザにメッセージ情報が存在する旨の通知を行う。例えば、スピーカ３８ａを介して他のユーザに音響情報を出力する。
【０１２０】
図１２は、各ユーザの操作により情報生成部４３ａが他のユーザのコメントの音声ファイルを生成する処理フローチャートである。本実施の形態では、コメントの音声ファイルを生成するのは他のユーザとして説明していたため、他のユーザの携帯機器３ａの処理を例に説明する。
【０１２１】
ステップＳ３０１では、操作判定部４１ａが他のユーザにより図７上図の画像ｓｃ２３のコメントボタンｂｔ２６が操作されたことを判定すると（ステップＳ３０１がＹｅｓ）、ステップＳ３０２の処理に進む。なお、操作判定部４１ａが他のユーザによるコメントボタンｂｔ２６の操作がなされたと判定していない場合（ステップＳ３０１がＮｏ）は処理を終了する。
【０１２２】
ステップＳ３０２では、他のユーザの音声を録音する画像ｓｃ２４を表示制御部４６ａが表示部２２ａに表示して、ステップＳ３０３の処理に進む。
【０１２３】
ステップＳ３０３では、他のユーザが画像ｓｃ２４の録音ボタンｂｔ１８を操作したことを操作判定部４１ａが検出すると、その検出情報に基づいて情報生成部４３ａがマイク３６ａを動作させ、他のユーザの音声の録音が開始され、ステップＳ３０４の処理に進む。
【０１２４】
ステップＳ３０４では、他のユーザの音声の録音が終了した場合（ステップＳ３０４がＹｅｓ）は、ステップＳ３０５の処理に進む。例えば、他のユーザが録音ボタンｂｔ１８を操作したことを操作判定部４１ａが検出して、１５秒経過した場合に録音が終了する。なお、録音が終了していない場合（ステップＳ３０４がＮｏ）は、ステップＳ３０３の処理に戻って録音を継続する。
【０１２５】
ステップＳ３０５では、情報生成部４３ａにより生成された音声ファイルが音声格納サーバ１０１に送信され、ステップＳ３０６の処理に進む。
【０１２６】
ステップＳ３０６では、音声格納サーバ１０１から送信された他のユーザの音声を録音した音声ファイルの保存場所の情報を送受信部３５ａを介して制御部４０ａが受信して、ステップＳ３０７の処理に進む。
【０１２７】
ステップＳ３０７では、制御部４０ａは、送受信部３５ａを介して、ツイッターサーバ１０２に音声ファイルの保存場所の情報と、車両１１のユーザの音声ファイルとの対応情報とを含むコメント情報を送信する。
＜第２の実施の形態＞
次に、第２の実施の形態について説明する。第２の実施の形態と第１の実施形態との相違点は、第１実施の形態では報知範囲ｔｅ１の範囲の大きさは所定の範囲（例えば、車両１１のユーザがメッセージ情報を投稿する際に設定したメッセージ投稿位置を略中心とする半径５００ｍの円内）としていたが、第２の実施の形態では、当該報知範囲ｔｅ１の範囲を車両１１のユーザが投稿するメッセージ情報の種類（以下、「カテゴリー」ともいう。）に応じて異なる範囲とする点である。また、このような変更にあわせて、携帯機器３からツイッターサーバ１０２に送信される投稿情報には、カテゴリーの情報が含まれることとなる。なお、その他の構成および処理については第１の実施の形態の構成および処理と同一である。そのため、構成および処理が同一の部分についての記載は省略する。
＜２−１．画面遷移＞
図１３上図は、情報を投稿するユーザが座標位置を選択したことに伴い、表示制御部４６がメッセージ情報のカテゴリーを選択するためのアイコンを表示部２２に表示するカテゴリー表示画像ｓｃ１２ａ（以下、単に「画像ｓｃ１２ａ」ともいう。）を示す図である。また、図１３下図は、情報を投稿するユーザがメッセージ情報のカテゴリーを選択したことにより、表示制御部４６が報知範囲ｔｅ２の画像を表示部２２に表示した交通範囲画像ｓｃ１２ｂ（以下、単に「画像ｓｃ１２ｂ」ともいう。）を示す図である。なお、以下に説明する図１２および図１３に示す画像については、携帯機器３の表示部３２にも表示され、通信部３１を介して表示装置２の表示部２２に同様の画像が表示されている。
【０１２８】
画像ｓｃ１２ａでは、車両１１のユーザが地図画像上の地点を選択したことで、表示制御部４６が表示部２２に表示する投稿位置アイコンｉｃ３とカテゴリー選択アイコンｉｃ４とが表示されている。このカテゴリー選択アイコンｉｃ４には車両１１のユーザがメッセージ情報の種類を選択するタッチパネル式の複数のボタンが表示されている。具体的には、交通ボタンｂｔ４１、天候ボタンｂｔ４２、および、観光ボタンｂｔ４３が表示されている。
【０１２９】
画像ｓｃ１２ｂでは、車両１１のユーザがカテゴリー選択アイコンｉｃ４に表示されている複数のボタンの中から交通ボタンｂｔ４１を選択した場合に、表示制御部４６が表示部２２に表示する画像を示している。つまり、画像ｓｃ１２ｂには、車両１１のユーザが交通情報に関するメッセージ情報を投稿して、他のユーザにメッセージ情報の存在を報知し、他のユーザからのコメントを取得する範囲である報知範囲ｔｅ２を表示制御部４６が表示部２２に表示している。
【０１３０】
ここで、交通情報に関する報知範囲ｔｅ２の範囲は例えば、車両１１のユーザが設定した座標位置を略中心として、半径３００ｍの円内を対象とする範囲であり、第１の実施の形態で説明した報知範囲ｔｅ１の範囲よりも狭い範囲となっている。これにより、メッセージ情報を投稿するユーザがコメントを希望する他のユーザのみにメッセージ情報の存在を気づかせて、より適切なコメントを得られる可能性が高くなる。また、画像ｓｃ１２ｂには交通ボタンｂｔ４１を選択したことを示すアイコンｉｃ４１が表示される。
【０１３１】
このようにメッセージ情報の種類に応じて報知する範囲を変えることで、メッセージ情報を投稿するユーザがコメントを希望する他のユーザのみにメッセージ情報の存在を気づかせることができる。そして、次画面ボタンｂｔ１５を車両１１のユーザが操作すると、車両１１のユーザが選択した地図画像上の位置に対応する座標位置と報知範囲とが、車両１１のユーザがメッセージ情報を投稿する座標位置と他のユーザへの報知範囲として設定される。
【０１３２】
図１４は、情報を投稿するユーザがメッセージ情報のカテゴリーを選択したことにより、表示制御部４６が報知範囲ｔｅ３の天候範囲画像ｓｃ１２ｃ（（以下、単に「画像ｓｃ１２ｃ」ともいう。）を表示部２２に表示した画像を示す図である。画像ｓｃ１２ｃでは、車両１１のユーザが交通ボタンｂｔ４１とは別の種類のボタンである天候ボタンｂｔ４２を選択した場合に表示制御部４６が表示部２２に表示する報知範囲ｔｅ３の画像を示している。
【０１３３】
ここで、天候情報に関する報知範囲ｔｅ３の範囲は例えば、車両１１のユーザが設定した座標位置を略中心として、半径２ｋｍの円内を対象とする範囲であり、交通情報に関する報知範囲ｔｅ２、および、第１の実施の形態で説明した報知範囲ｔｅ１の範囲よりも広い範囲となっている。これにより、指定した座標位置に限定されずに広い範囲でより多くの他のユーザからのコメントを得ることができる。また、画像ｓｃ１２ｃには天候ボタンｂｔ４２を選択したことを示す天候アイコンｉｃ４２が表示される。
【０１３４】
また、図１３に示した観光ボタンｂｔ４３が車両１１のユーザに選択された場合は、交通ボタンｂｔ４１、および、天候ボタンｂｔ４２が選択された場合の報知範囲とは異なる範囲となる。
【０１３５】
さらに、当該報知範囲の大きさは車両１１のユーザが操作部２３を操作することで、任意の大きさに変更できる。例えば、第１の実施の形態で説明した、車両１１のユーザが設定した座標位置を略中心とする半径５００ｍの円の半径の大きさを操作部２３により車両１１のユーザの任意の大きさに変更する。また、車両１１のユーザが設定した座標位置を範囲の中心とせず、当該座標位置を含むような報知範囲に変更する。
【０１３６】
具体的には、車両１１のユーザが情報を投稿する座標位置を選択した場合に、表示部２２に表示される報知範囲の画像が車両１１のユーザが操作部２３を操作することで変更される。つまり、表示制御部４６が車両１１のユーザの操作部２３の操作に応じた報知範囲の広さを表示部２２に表示する。そして、次画面ボタンｂｔ１５を車両１１のユーザが操作すると、車両１１のユーザが選択した地図画像上の位置に対応する座標位置と報知範囲とが、車両１１のユーザがメッセージ情報を投稿する座標位置と他のユーザへの報知範囲として設定される。
【０１３７】
これにより、メッセージ情報に対してコメントを希望する範囲を車両１１のユーザ自身で任意に設定できる。また、報知範囲は円形でなくてもよく、他の形の範囲であってもよい。
＜２−２．フローチャート＞
図１５、および、図１６は投稿情報を生成しツイッターサーバ１０２に送信するまでの携帯機器３（３ａ）の処理フローチャートを示す図である。この第２の実施形態の処理フローチャートと図９、および、図１０に示した第１の実施の形態の処理フローチャートとの異なる主な点は、図１４に示す処理フローチャートにステップＳ３０１が追加された点である。つまり、ステップＳ１０２で車両１１のユーザがメッセージ情報を投稿する操作を操作判定部４１が検出した場合(ステップＳ１０２がＹｅｓ）、投稿位置アイコンｉｃ３、および，カテゴリー選択アイコンｉｃ４を表示制御部４６が表示部２２に表示して（ステップＳ１０２ｂ）、ステップＳ３０１の処理に進む。
【０１３８】
ステップＳ３０１では、車両１１のユーザがメッセージ情報のカテゴリーの選択を行ったことを操作判定部４１が検出した場合（ステップＳ３０１がＹｅｓ）、ステップＳ１０３の処理に進む。なお、車両１１のユーザによるメッセージ情報のカテゴリーの選択の操作を操作判定部４１が検出していない場合（ステップＳ３０１がＮｏ）は、ステップＳ１０１の処理に戻る。
【０１３９】
また、別の異なる点として、ステップＳ１０９において制御部４０は、送受信部３５を介して、ツイッターサーバ１０２に定型文を付した投稿情報を送信するが、当該投稿情報には車両１１のユーザが選択したカテゴリーの情報が含まれる。
【０１４０】
＜３．変形例＞
以上、本発明の実施の形態について説明してきたが、この発明は上記実施の形態に限定されるものではなく様々な変形が可能である。以下では、このような変形例について説明する。上記実施の形態、および、以下で説明する形態を含む全ての形態は、適宜に組み合わせ可能である。
【０１４１】
上記実施の形態では、情報を投稿するサービスとしてツイッターを用いた例で説明したが、これに限定されるものではなく、例えばブログ、簡易メール、ＳＮＳ（Social Network Service)などの投稿サービスで上記実施の形態の内容を適用することもできる。
【０１４２】
また、上記実施の形態では、携帯機器３は、音声ファイルを音声格納サーバ１０１に送信し、音声ファイルの保存場所の情報を音声格納サーバ１０１から受信して、当該音声ファイルの保存場所の情報とメッセージ投稿位置の情報との投稿情報をツイッターサーバ１０２に送信していた。そして、ツイッターサーバ１０２から携帯機器３（３ａ）が投稿情報を取得していた。これに対して、音声ファイルと座標位置の情報とを直接ツイッターサーバ１０２に送信し、これらの情報を受信したツイッターサーバ１０２が、音声格納サーバ１０１に音声ファイルを送信する。そして、ツイッターサーバ１０２が当該音声ファイルのＵＲＬを音声格納サーバ１０１から受信するようにしてもよい。その結果、携帯機器３（３ａ）はツイッターサーバ１０２から投稿情報を取得する。
【０１４３】
また、上記実施の形態では表示装置２（２ａ）は、画面上で各ユーザがタッチした画面座標位置を検出して当該画面座標位置を携帯機器３（３ａ）に送信し、携帯機器３（３ａ）がその画面座標位置に基づいて各ユーザの操作内容を判定していた。これに対して、表示装置２（２ａ）が各ユーザの操作内容を判定するようにしてもよい。この場合、携帯機器３（３ａ）は、各ユーザの操作内容の判定は行わず、各サーバ装置との通信機能を有する。
【０１４４】
また、上述の音声格納サーバ１０１とツイッターサーバ１０２とを一つの統合サーバとし、携帯機器３から統合サーバへ音声ファイルと座標位置の情報とを送信し、統合サーバから携帯機器３（３ａ）が投稿情報を取得するようにしてもよい。
【０１４５】
また、上記実施の形態では、携帯機器３（３ａ）がＧＰＳ３４（３４ａ）を備え、ＧＰＳ３４（３４ａ）からの情報により位置導出部４５（４５ａ）が携帯機器３（３ａ）の座標位置を導出していた。これに対して、車両１１（１１ａ）の座標位置、つまり表示装置２（２ａ）の導出は、表示装置２（２ａ）が行うようにしてもよい。つまり、表示装置２（２ａ）がＧＰＳ３４（３４ａ）を備え、かつ、表示装置２（２ａ）の制御部２４（２４ａ）が位置導出部４５（４５ａ）を備えることで表示装置２（２ａ）の座標位置を導出するようにしてもよい。
【０１４６】
また、上記実施の形態では、他のユーザへのメッセージ情報が存在している旨の報知は携帯機器３ａの報知部４８ａが行うこととしたが、表示装置２ａが報知部４８ａを備えて他のユーザへ投稿情報が存在している旨の報知を行うようにしてもよい。
【０１４７】
また、上記実施の形態では、携帯機器３（３ａ）が備えている機能について説明したが、このように携帯機器３（３ａ）が備えている機能を表示装置２（２ａ）が備えて実現するようにしてもよい。
【０１４８】
また、上記実施の形態では、携帯機器３（３ａ）は、地図サーバ１０３から地図画像を取得し、当該地図画像を表示部３２（３２a）に表示することについて述べたが、地図画像を地図サーバ１０３から取得することなく、記憶部３７（３７a）に予め地図画像を記憶するようにしてもよい。
【０１４９】
また、上記実施の形態では、情報を投稿するユーザを車両１１のユーザとして説明したが、情報を投稿するユーザは必ずしも車両に乗車している必要はなく、徒歩で移動しているユーザであってもよい。なお、このような徒歩で移動しているユーザの場合は、表示装置２は用いずに携帯機器３を用いてメッセージ情報を投稿する。
【０１５０】
また、上記実施の形態では、他のユーザは車両１１ａの運転者を含む乗員としたが、車両１１ａの運転者を含む乗員以外でも、車両１１ａに乗車せず例えば、徒歩で移動しているユーザであってもよい。なお、このような徒歩で移動しているユーザの場合は、表示装置２ａは用いずに携帯機器３ａを用いてコメントを投稿する。
【０１５１】
また、上記実施の形態において、メッセージ情報等の情報として各ユーザの音声を例に述べたが、音声以外に定型文などの文章の情報であってもよい。
【０１５２】
また、上記実施の形態における各画像で、投稿アイコンが複数表示されている場合に、表示部２２（２２ａ）に表示される投稿アイコンを限定する機能を有するボタンを設けてもよい。例えば、他のユーザがメッセージ情報の内容を確認した投稿アイコンのみを選択して表示したり、他のユーザがメッセージ情報の内容を確認していない投稿アイコンのみを選択して表示する機能を有するボタンを設けてもよい。
【０１５３】
また、上記第２の実施の形態において、カテゴリー選択アイコンｉｃ４には、交通ボタンｂｔ４１、天候ボタンｂｔ４２、および、観光ボタンｂｔ４３が表示されていると説明したが、これら以外のカテゴリー（例えば、「グルメ」および「名所」等）のボタンを表示してもよい。
【０１５４】
また、上記実施の形態では、プログラムに従ったＣＰＵの演算処理によってソフトウェア的に各種の機能が実現されると説明したが、これら機能のうちの一部は電気的なハードウェア回路により実現されてもよい。また逆に、ハードウェア回路によって実現されるとした機能のうちの一部は、ソフトウェア的に実現されてもよい。
【符号の説明】
【０１５５】
１・・・・・・・・ 情報投稿システム
２（２ａ）・・・・ 表示装置
３（３ａ）・・・・ 携帯機器
１１（１１a）・・・車両
１０１・・・・・・ 音声格納サーバ
１０２・・・・・・ ツイッターサーバ
１０３・・・・・・ 地図サーバ
【図１】
0005893373.tif 000002
【図２】
0005893373.tif 000003
【図３】
0005893373.tif 000004
【図４】
0005893373.tif 000005
【図５】
0005893373.tif 000006
【図６】
0005893373.tif 000007
【図７】
0005893373.tif 000008
【図８】
0005893373.tif 000009
【図９】
0005893373.tif 000010
【図１０】
0005893373.tif 000011
【図１１】
0005893373.tif 000012
【図１２】
0005893373.tif 000013
【図１３】
0005893373.tif 000014
【図１４】
0005893373.tif 000015
【図１５】
0005893373.tif 000016
【図１６】
0005893373.tif 000017